(57)【要約】【課題】  コンテナの中に複数の物が重なって存在する場合に、当該物がどのコンテナに、いつ入っていたかということを電子的に表現すること。【解決手段】  処理手段は、所定の領域を識別する領域識別子を入力手段から受付けた際に、時計手段から時刻を取得し、受付けた領域識別子に対応する領域における情報を入力手段から受付けて、受付けた領域識別子及び取得した時刻の組合せと、受付けた領域における情報とを関連付けて記憶手段に記憶する。【選択図】  図４
2008290861.tif 000002
【特許請求の範囲】
【請求項１】
処理手段と、記憶手段と、入力手段と、時刻を提供する時計手段とを備えた端末に用いられる情報記録プログラムであって、
前記処理手段に、
ａ）所定の領域を識別する領域識別子を前記入力手段から受付けるステップと、
ｂ）当該領域識別子を前記入力手段から受付けた際に、前記時計手段から時刻を取得するステップと、
ｃ）前記受付けた領域識別子に対応する領域における情報を前記入力手段から受付けるステップと、
ｄ）前記受付けた領域識別子及び前記取得した時刻の組合せと、前記受付けた領域における情報とを関連付けて前記記憶手段に記憶するステップと、
を実行させることを特徴とした情報記録プログラム。
【請求項２】
前記領域における情報が、前記領域に存在する物に関する情報であることを特徴とした請求項１に記載の情報記録プログラム。
【請求項３】
前記領域識別子がコンテナを識別するコンテナ識別子であることを特徴とした請求項１又は請求項２に記載の情報記録プログラム。
【請求項４】
前記ｂステップが、「当該領域識別子を前記入力手段から受付けた際に、時刻を提供する外部装置から時刻を取得するステップ」であることを特徴とした請求項１乃至請求項３に記載の情報記録プログラム。
【請求項５】
所定の領域を識別する領域識別子及び時刻の組合せと当該領域識別子に対応する領域における情報とを関連付けて記憶した記憶手段と、処理手段と、入力手段と、表示手段とを備えた端末に用いられる情報表示プログラムであって、
前記処理手段に、
ａ）前記入力手段からの要求に応じて、前記記憶手段に記憶した領域識別子及び時刻の組合せに対応するフォルダを前記表示手段に表示するステップと、
ｂ）前記フォルダが前記入力手段により選択された場合に、当該フォルダに対応する領域識別子及び時刻の組合せに関連付けられた領域における情報を前記記憶手段から読み出して、その情報を前記表示手段に表示するステップと、
を実行させることを特徴とした情報表示プログラム。
【請求項６】
前記領域における情報が、前記領域に存在する物に関する情報であることを特徴とした請求項５に記載の情報表示プログラム。
【請求項７】
前記領域識別子がコンテナを識別するコンテナ識別子であることを特徴とした請求項５又は請求項６に記載の情報表示プログラム。
【発明の詳細な説明】
【技術分野】
【０００１】
本発明は、情報を管理するプログラムに係り、特に、所定の領域における情報を記録する情報記録プログラム及び記録した情報を表示する情報表示プログラムに関する。
【背景技術】
【０００２】
従来、引出し、ダンボール等のコンテナに物を収納した場合に、どのコンテナに、いつ、何が、どのように入っていたかといった情報を管理することは困難であった。これらの情報を電子的に表現することは困難であり、また、その情報量は多大となるからである。
【０００３】
一方、産業上の利用分野は異なるが、作業現場の施工状態を撮影すると同時に作業現場の情報を読み取り可能にすることにより、事後の検証を迅速、的確に行うことができる作業現場撮影記録システムが開示されている（例えば、特許文献１）。そして、この発明を、コンテナの中身を撮影した画像を管理する方法に適用した場合には、どのコンテナに、いつ、何が、どのように入っていたかという情報を画像情報として電子的に表現することができると思われる。
【０００４】
しかしながら、上記従来例においては、コンテナの中に複数の物（例えば、書類など）が重なって存在する場合に、ある物がどのコンテナに、いつ入っていたかということを電子的に表現することはできなかった。
【特許文献１】特願２００５−１６１０８号
【発明の開示】
【発明が解決しようとする課題】
【０００５】
本発明は、かかる従来例の有する不都合を改善し、特に、コンテナの中に複数の物が重なって存在する場合に、当該物がどのコンテナに、いつ入っていたかということを電子的に表現することを課題とする。また、ユーザが直感的に情報を整理し、再利用できる情報の管理方法を提供することを課題とする。
【課題を解決するための手段】
【０００６】
上記課題を解決するため、本発明では次のような構成を採っている。
【０００７】
第一の発明は、処理手段と、記憶手段と、入力手段と、時刻を提供する時計手段とを備えた端末に用いられる情報記録プログラムである。そして、前記処理手段に、ａ）所定の領域を識別する領域識別子を前記入力手段から受付けるステップと、ｂ）当該領域識別子を前記入力手段から受付けた際に、前記時計手段から時刻を取得するステップと、ｃ）前記受付けた領域識別子に対応する領域における情報を前記入力手段から受付けるステップと、ｄ）前記受付けた領域識別子及び前記取得した時刻の組合せと、前記受付けた領域における情報とを関連付けて前記記憶手段に記憶するステップと、を実行させることを特徴とする。ここで、時計手段とは、時刻を提供する装置であって、例えば、内部時計等が該当する。また、領域における情報としては、例えば、その領域に存在する物の画像及びその物が発する音声、その領域において聞くことができる音声（音源が外部にあるもの）などが該当する。
【０００８】
第二の発明は、第一の発明における「領域における情報」が、前記領域に存在する物に関する情報であることを特徴とした情報記録プログラムである。
【０００９】
第三の発明は、第一の発明又は第二の発明における「領域識別子」がコンテナを識別するコンテナ識別子であることを特徴とした情報記録プログラムである。ここで、コンテナ識別子は、領域識別子の下位概念であるところ、中位の概念としては、区画された場所を識別する識別子が存在する。
【００１０】
第四の発明は、第一の発明乃至第三の発明における「前記ｂステップ」が、「当該領域識別子を前記入力手段から受付けた際に、時刻を提供する外部装置から時刻を取得するステップ」であることを特徴とした情報記録プログラムである。ここで、時刻を提供する外部装置としては、ＮＴＰ（Ｎｅｔｗｏｒｋ  Ｔｉｍｅ  Ｐｒｏｔｏｃｏｌ）サーバ、ＧＰＳ（Ｇｌｏｂａｌ  Ｐｏｓｉｔｉｏｎｉｎｇ  Ｓｙｓｔｅｍ）等が該当する。
【００１１】
第五の発明は、所定の領域を識別する領域識別子及び時刻の組合せと当該領域識別子に対応する領域における情報とを関連付けて記憶した記憶手段と、処理手段と、入力手段と、表示手段とを備えた端末に用いられる情報表示プログラムである。そして、前記処理手段に、ａ）前記入力手段からの要求に応じて、前記記憶手段に記憶した領域識別子及び時刻の組合せに対応するフォルダを前記表示手段に表示するステップと、ｂ）前記フォルダが前記入力手段により選択された場合に、当該フォルダに対応する領域識別子及び時刻の組合せに関連付けられた領域における情報を前記記憶手段から読み出して、その情報を前記表示手段に表示するステップと、を実行させることを特徴とする。
【００１２】
第六の発明は、第五の発明における「領域における情報」が、前記領域に存在する物に関する情報であることを特徴とした情報表示プログラムである。
【００１３】
第七の発明は、第五の発明又は第六の発明における「前記領域識別子」がコンテナを識別するコンテナ識別子であることを特徴とした情報表示プログラムである。
【発明の効果】
【００１４】
本願発明によれば、領域識別子及び時刻の組合せと、領域における情報とを関連付けて記憶するので、領域における情報を、領域識別子及び時刻の組合せに基づいて検索することができる。
【００１５】
また、所定の領域に存在する物ごとに画像を撮影し、領域識別子及び時刻の組合せと、当該画像とを関連付けて記憶するので、所定の領域に複数の物が重なって存在する場合であっても、ある物の画像を、領域識別子及び時刻の組合せに基づいて検索することができる。
【００１６】
さらに、フォルダが所定の時刻における現実のコンテナ（領域）に１対１で対応するので、ユーザは現実のコンテナ（領域）を見てその中を確認するようにフォルダに含まれる画像を確認することができる。
【発明を実施するための最良の形態】
【００１７】
以下、図面を参照しながら、本発明の実施形態について説明する。
（実施形態１）
【００１８】
図１は、本実施形態の端末１０の構成図である。当該端末１０は持ち運び可能なコンピュータであって、処理手段としてのＣＰＵと、記憶手段としてのメモリと、入力手段としての入力キー及びカメラと、通信手段としての無線回路又はＮＩＣ（Ｎｅｔｗｏｒｋ  Ｉｎｔｅｒｆａｃｅ  Ｃａｒｄ）と、時計手段としての内部時計と、表示手段としての液晶ディスプレイとを備えている。ここで、メモリには、情報記録プログラム、情報表示プログラム、画像情報ファイル等が記憶されている。端末１０のＣＰＵは、情報記録プログラムを実行することにより、カメラで画像を撮影することができるようになっている。また、端末１０のＣＰＵは、情報表示プログラムを実行することにより、上記撮影した画像を表示することができるようになっている。端末１０としては、例えば、カメラ機能付のノートパソコン、カメラ機能付のＰＤＡ（Ｐｅｒｓｏｎａｌ  Ｄｉｇｉｔａｌ  Ａｓｓｉｓｔａｎｔｓ）、カメラ機能付の携帯電話などが該当する。
【００１９】
図２は、画像情報ファイルの構成図である。当該画像情報ファイルには、コンテナを識別するコンテナ識別子及び時刻の組合せと、画像（画像のデータ）とが関連付けて記憶されるようになっている。ここで、端末１０がデータを画像情報ファイルに記憶する動作の詳細は後述する。
【００２０】
図３は、引出し等のコンテナの構成図である。当該コンテナには、当該コンテナを識別するコンテナ識別子が付されている。本実施形態では、コンテナ識別子を記録した２次元バーコードをコンテナに付している。ここで、コンテナ識別子を付する方法としては、コンテナ識別子を記録したＩＣタグをコンテナに付するようにしてもよい。
【００２１】
次に、本実施形態の端末１０の動作について説明する。
（画像を記憶する動作）
【００２２】
図４は、コンテナに存在する物をカメラで撮影する際の、端末１０のフローチャートである。ユーザが端末１０のカメラをコンテナの２次元バーコードに向けて所定の入力キーを操作すると、端末１０のＣＰＵは、コンテナに付された２次元バーコードをカメラで読み取る（Ｓ１０）。そして、端末１０のＣＰＵは、２次元バーコードを読み取ったことを契機として、時刻を内部時計から取得する（Ｓ１５）。ここで、本実施形態では、端末１０の内部時計から時刻を取得しているが、通信手段を介して時刻を提供するＮＴＰ（Ｎｅｔｗｏｒｋ  Ｔｉｍｅ  Ｐｒｏｔｏｃｏｌ）サーバ等の外部装置から時刻を取得したり、ＧＰＳ（Ｇｌｏｂａｌ  Ｐｏｓｉｔｉｏｎｉｎｇ  Ｓｙｓｔｅｍ）から時刻を取得してもよい。続いて、端末１０のＣＰＵは、読み取った２次元バーコードに記録されたコンテナ識別子を読み出す（Ｓ２０）。そして、端末１０のＣＰＵは、読み出したコンテナ識別子と取得した時刻とを関連付けてメモリに記憶する（Ｓ２５）。
【００２３】
次に、ユーザが端末１０のカメラをコンテナの中に存在するそれぞれの物に向けて所定の入力キーを操作すると、端末１０のＣＰＵは、その物をカメラで撮影し、その画像を上記コンテナ識別子及び時刻の組合せに関連付けて画像情報ファイルに記憶する（Ｓ３０）。同様にして、端末１０のＣＰＵは、当該コンテナの中に存在する残りの物の画像をそれぞれ、上記コンテナ識別子及び時刻の組合せに関連付けて画像情報ファイルに記憶する。
（画像を表示する動作）
【００２４】
ユーザが特定の時刻における特定のコンテナに存在する物の画像を確認するため所定の入力キーを操作すると、端末１０のＣＰＵは、コンテナ識別子と、当該コンテナ識別子に関連付けられた時刻とを画像情報ファイルから読み出す。そして、端末１０のＣＰＵは、読み出したコンテナ識別子及び時刻の組合せに対応するフォルダを備えた第一のコンテンツを作成してメモリに記憶する。ここで、第一のコンテンツを作成するタイミングは、上記の場合のほか、画像を上記コンテナ識別子及び時刻の組合せに関連付けて画像情報ファイルに記憶する（Ｓ３０）タイミング等であってもよい。続いて、端末１０のＣＰＵは、作成した第一のコンテンツをメモリから読み出して、当該第一のコンテンツを液晶ディスプレイに表示する。図５は、第一のコンテンツの構成図である。本実施形態では、フォルダ名をコンテナ識別子及び時刻の組合せからなる文字とすることにより、特定の時刻における特定のコンテナを当該フォルダに対応させている。そして、ユーザがこのフォルダを入力キー等で選択すると、端末１０のＣＰＵは、当該フォルダ名に対応するコンテナ識別子及び時刻の組合せに関連付けられた画像を画像情報ファイルから読み出す。そして、端末のＣＰＵは、読み出した画像（画像のデータ）に基づいて、そのファイル名、サムネイル等を表示する第二のコンテンツを作成してメモリに記憶する。ここで、第二のコンテンツを作成するタイミングは、上記の場合のほか、画像を上記コンテナ識別子及び時刻の組合せに関連付けて画像情報ファイルに記憶する（Ｓ３０）タイミング等であってもよい。続いて、端末１０のＣＰＵは、作成した第二のコンテンツをメモリから読み出して、当該第二のコンテンツを液晶ディスプレイに表示する。本実施形態では、第一のコンテンツを表示した画面に第二の表示領域（画面）を作成し、当該第二の表示領域に第二のコンテンツを表示するようになっている。
【００２５】
上記実施形態によると、コンテナの中に複数の物（例えば、書類など）が重なって存在する場合であっても、当該物の画像を、コンテナ識別子及び時刻の組合せに対応するフォルダから検索することができる。
（実施形態２）
【００２６】
図６は、本実施形態のコンピュータシステムの全体構成を示すブロック図である。端末１０と、情報提供システム２０とが、通信ネットワークとしてのインターネット３０に接続されている。ここで、端末１０及び情報提供システム２０と、インターネット３０との接続は有線であるか無線であるかを問わない。ここで、端末１０については、実施形態１と基本的に同様の構成であるが、メモリ等の記憶手段に画像情報ファイルを記憶していない点が異なる。
【００２７】
図７は、情報提供システム２０の構成図である。当該情報提供システム２０はコンピュータであって、処理手段としてのＣＰＵと、記憶手段としてのメモリ及びＨＤＤ（Ｈａｒｄ  Ｄｉｓｋ  Ｄｒｉｖｅ）と、通信手段としてのＮＩＣとを備えている。ここで、ＨＤＤには、情報提供プログラム、画像情報ファイル等が記憶されている。画像情報ファイルについては、実施形態１と同様の構成なので、その説明を省略する。情報提供システム２０のＣＰＵは、情報提供プログラムを実行することにより、端末１０の要求に応じて、端末１０のカメラで撮影された物の画像をＨＤＤに記憶することができるようになっている。情報提供システム２０としては、例えば、ＰＣ（Ｐｅｒｓｏｎａｌ  Ｃｏｍｐｕｔｅｒ）、サーバ等が該当する。
【００２８】
次に、本実施形態のコンピュータシステムの動作について説明する。
（画像を記憶する動作）
【００２９】
端末１０の動作は、実施形態１のＳ１０からＳ２５までと同様である。以下、その後の動作について説明する。ユーザが端末１０からカメラをコンテナの中に存在するそれぞれの物に向けて所定の入力キーを操作すると、端末１０のＣＰＵは、その物をカメラで撮影し、当該撮影した画像と、端末１０のメモリに記憶されたコンテナ識別子及び時刻の組合せとを情報提供システム２０に送信する。
【００３０】
情報提供システム２０のＣＰＵは、その画像と、コンテナ識別子及び時刻の組合せとを端末から受信する。そして、情報提供システム２０のＣＰＵは、受信した画像を、受信したコンテナ識別子及び時刻の組合せに関連付けて画像情報ファイルに記憶する。
【００３１】
ここで、端末１０のＣＰＵが、画像とコンテナ識別子及び時刻の組合せとを情報提供システムに送信し、情報提供システムのＣＰＵが、それを受信して情報提供システムのＨＤＤに記憶する動作は、コンテナの中に存在する物の画像の数だけ繰り返される。
【００３２】
（画像を表示する動作）
【００３３】
ユーザが特定の時刻における特定のコンテナに存在する物の画像を確認するため所定の入力キーを操作すると、端末１０のＣＰＵは、コンテナ識別子及び時刻の組合せに対応するフォルダを備えた第一のコンテンツの取得要求を、情報提供システム２０に送信する。
【００３４】
情報提供システム２０のＣＰＵは、第一のコンテンツの取得要求を端末１０から受信する。そして、情報提供システム２０のＣＰＵは、コンテナ識別子と、当該コンテナ識別子に関連付けられた時刻とを画像情報ファイルから読み出す。そして、情報提供システム２０のＣＰＵは、読み出したコンテナ識別子及び時刻の組合せに対応するフォルダを備えた第一のコンテンツを作成して情報提供システム２０のＨＤＤに記憶する。続いて、情報提供システム２０のＣＰＵは、作成した第一のコンテンツを情報提供システムのＨＤＤから読み出して、当該第一のコンテンツを端末１０に送信する。
【００３５】
端末１０のＣＰＵは、第一のコンテンツを情報提供システム２０から受信してメモリに記憶する。そして、端末１０のＣＰＵは、受信した第一のコンテンツをメモリから読み出して、当該第一のコンテンツを液晶ディスプレイに表示する。本実施形態では、実施形態１と同様に、フォルダ名をコンテナ識別子及び時刻の組合せからなる文字とすることにより、特定の時刻における特定のコンテナを当該フォルダに対応させている。そして、ユーザがこのフォルダを入力キー等で選択すると、端末１０のＣＰＵは、選択されたフォルダ名に対応するコンテナ識別子及び時刻の組合せに関連付けられた画像のファイル名、サムネイル等を表示する第二のコンテンツの取得要求を、情報提供システム２０に送信する。
【００３６】
情報提供システム２０のＣＰＵは、第二のコンテンツの取得要求を端末１０から受信する。ここで、当該第二のコンテンツの取得要求には、選択されたフォルダ名に対応するコンテナ識別子及び時刻の組合せが含まれる。そして、情報提供システム２０のＣＰＵは、当該コンテナ識別子及び時刻の組合せに関連付けられた画像を画像情報ファイルから読み出す。続いて、情報提供システム２０のＣＰＵは、読み出した画像（画像のデータ）に基づいて、そのファイル名、サムネイル等を表示する第二のコンテンツを作成して情報提供システム２０のＨＤＤに記憶する。そして、情報提供システム２０のＣＰＵは、作成した第二のコンテンツを情報提供システムのＨＤＤから読み出して、当該第二のコンテンツを端末１０に送信する。
【００３７】
端末１０のＣＰＵは、第二のコンテンツを情報提供システム２０から受信してメモリに記憶する。そして、端末１０のＣＰＵは、受信した第二のコンテンツをメモリから読み出して、当該第二のコンテンツを液晶ディスプレイに表示する。本実施形態では、第一のコンテンツを表示した画面に第二の表示領域（画面）を作成し、当該第二の表示領域に第二のコンテンツを表示するようになっている。
【００３８】
上記実施形態によると、コンテナの中に複数の物（例えば、書類など）が重なって存在する場合であっても、当該物の画像を、コンテナ識別子及び時刻の組合せに対応するフォルダから検索することができる。
【００３９】
また、情報提供サーバが第一のコンテンツ及び第二のコンテンツを公開することにより、他の端末から特定の時刻における特定のコンテナの中に存在する物の画像を確認することができる。
【００４０】
以上、本発明の実施形態について説明してきたが、本発明はこれに限定されるものではなく、様々な変更が可能である。例えば、公園、ビル等をコンテナとみなして、コンテナ識別子を当該コンテナに付するようにすれば、その公園、ビル等に存在する物（例えば、遊具、お店等）の画像を、コンテナ識別子及び時刻の組合せに対応するフォルダから検索することもできる。さらに、地図上の行政区画（〇〇区、〇〇町、〇〇町△丁目）をコンテナとみなして、コンテナ識別子を、当該行政区画を代表する施設等に付するようにすれば、その行政区画に存在する物（例えば、施設等）を、コンテナ識別子及び時刻の組合せに対応するフォルダから検索することもできる。また、信号機から所定の範囲にある領域をコンテナとみなして、コンテナ識別子を信号機に付するようにすれば、当該コンテナに存在する物（例えば、施設等）を、コンテナ識別子及び時刻の組合せに対応するフォルダから検索することもできる。さらに、画像の情報に、当該画像を撮影した時刻を付加してもよい。この場合には、例えば、「Ｘから歩いてＴ分経つと、Ｙという建物が見えるので、そこで右折して下さい。」といったナビゲーションをする際に、これらの画像を利用することができる。画像に限らず、音声を録音してコンテナ識別子と時刻の組み合わせと関連付けて管理するなど、別の情報を管理することに利用することも考えられる。実施形態２では、Ｓ２５の動作のあとクライアント（ユーザ）を識別するクライアント識別子と関連付けてコンテナ識別子と時刻の組み合わせを送信し、以後カメラで撮影された画像を情報提供システム２０に送信する際にクライアント識別子と関連付けて送信するように、情報提供システム２０のＣＰＵが当該クライアント識別子と関連付けて最後に送信されたコンテナ識別子と時刻の組み合わせと送信された画像を関連付けるようにするといった応用例も考えられる。実施形態１でも、同様の方法が可能である。
【図面の簡単な説明】
【００４１】
【図１】端末の構成図である。
【図２】画像情報ファイルの構成図である。
【図３】引出し等のコンテナの構成図である。
【図４】端末のフローチャートである。
【図５】第一のコンテンツの構成図である。
【図６】コンピュータシステムの全体構成を示すブロック図である。
【図７】情報提供システムの構成図である。１０  端末１１  ＣＰＵ（処理手段）１２  メモリ（記憶手段）１３  入力キー（入力手段）１４  カメラ（入力手段）１５  無線回路（通信手段）１６  内部時計（時計手段）１７  液晶ディスプレイ（表示手段）２０  情報提供システム２１  ＣＰＵ（処理手段）２２  メモリ（記憶手段）２３  ＨＤＤ（記憶手段）２４  ＮＩＣ（通信手段）３０  インターネット（通信ネットワーク）
【図１】
2008290861.tif 000003
【図２】
2008290861.tif 000004
【図３】
2008290861.tif 000005
【図４】
2008290861.tif 000006
【図５】
2008290861.tif 000007
【図６】
2008290861.tif 000008
【図７】
2008290861.tif 000009